(57)【要約】【課題】制御用フレームを用いずに信頼性の高いリング型ネットワークを構成する。【解決手段】複数の通信ノード装置１によって構成されるリング型のネットワークシステムにおいて、通信ノード装置１にそれぞれを一意に（個別に）識別する識別番号を付与する。通信ノード装置１に接続された端末機器２から受信したフレームをリング型ネットワーク内へ転送する場合には、自身の識別番号と同じ値のＶＬＡＮ−ＩＤを該フレームに付与する。リング型ネットワーク内の他の通信ノード装置１からフレームを受信したときは、受信したフレーム内のＶＬＡＮ−ＩＤを検証し、該ＶＬＡＮ−ＩＤが自身の識別番号と一致する場合には転送を禁止して該フレームを破棄する。これにより、自身が発信元となるフレームが必要以上に転送されてリング型ネットワーク内でブロードキャストストームが発生することを防ぐことができる。【選択図】図４
2016105655.tif 000002
【特許請求の範囲】
【請求項１】
フレームの送受信を行う複数の通信ノード装置によって構成されたリング型ネットワークシステムの制御方法であって、
前記複数の通信ノード装置は各々を一意に識別するための識別番号が付与されており、
前記通信ノード装置各々はフレーム判別部を備えており、
前記フレーム判別部は、
前記通信ノード装置が送信するフレームに識別番号を付与する識別番号付与部と、
前記通信ノード装置が受信したフレームに付与された識別番号を判定する識別番号判定部とを備え、
前記識別番号判定部によって、前記受信したフレームに付与された識別番号が予め設定された識別番号と一致すると判定した場合に、該受信フレームの転送を禁止することを特徴とするネットワークシステムの制御方法。
【請求項２】
請求項１において、
前記識別番号はＶＬＡＮ−ＩＤであることを特徴とするネットワークシステムの制御方法。
【請求項３】
請求項１又は２において、
前記フレーム判別部は前記識別番号のリストに基づいてフィルタリングを行っていることを特徴とするネットワークの制御方法。
【請求項４】
請求項１〜３のいずれか１つにおいて、
前記通信ノード装置は互いを接続するための通信ポートを備えており、
各通信ポートにはＶＬＡＮ−ＩＤが重ね置きで設定されていることを特徴とするネットワークの制御方法。
【請求項５】
フレームの送受信を行う複数の通信ノード装置によって構成されたリング型ネットワークシステムであって、
前記複数の通信ノード装置は各々を一意に識別するための識別番号が付与されており、
前記通信ノード装置各々はフレーム判別部を備えており、
前記フレーム判別部は、
前記通信ノード装置が送信するフレームに識別番号を付与する識別番号付与部と、
前記通信ノード装置が受信したフレームに付与された識別番号を判定する識別番号判定部とを備え、
前記識別番号判定部によって、前記受信したフレームに付与された識別番号が予め設定された少なくとも１つ以上の識別番号と一致すると判定した場合に、該受信フレームの転送を禁止することを特徴とするネットワークシステム。
【請求項６】
請求項５において、
少なくとも２つ以上のループを備えることを特徴とするネットワークシステム。
【請求項７】
リング型ネットワークシステムを構成するためのフレームの送受信を行う通信ノード装置であって、
識別番号が付与されており、
フレーム判別部を備えており、
前記フレーム判別部は、
前記通信ノード装置が送信するフレームに識別番号を付与する識別番号付与部と、
前記通信ノード装置が受信したフレームに付与された識別番号を判定する識別番号判定部とを備え、
前記識別番号判定部によって、前記受信したフレームに付与された識別番号が予め設定された少なくとも１つ以上の識別番号と一致すると判定した場合に、該受信フレームの転を禁止することを特徴とする通信ノード装置。
【発明の詳細な説明】
【技術分野】
【０００１】
本発明は、リング型トポロジーを持つ冗長化ネットワークシステムとその制御方法、及びそれに用いる通信ノード装置に関する。
【背景技術】
【０００２】
従来から、ネットワークシステムの信頼性を向上させるために、複数のレイヤ２スイッチの通信ノード装置を伝送ラインでリング状に接続することで、通信経路に冗長性を持たせたリング型のネットワークシステムが広く採用されている。このリング型のネットワークシステムにおいては、データが無限に循環（ブロードキャストストーム）することを防止するための制御手法の１つとしてＩＥＥＥ８０２．１Ｄで標準化されたスパニングツリープロトコル（ＳＴＰ：Spanning Tree Protocol）が知られている。
【０００３】
ＳＴＰでは、リング状となっている通信経路に属する通信ノード装置の１つのポートを論理的に閉塞した状態として通常動作時は使用せず、通信経路に障害が発生したときに迂回経路として使用する。また、ＳＴＰでは、予め設定された通信ノード装置の優先度情報とパスコストの情報を含んだＢＰＤＵ（Bridge Protocol Data Unit）と呼ばれる制御フレームを、通信ノード装置間で定期的に交換することにより、通信経路の監視を行い、一定時間を経過してもＢＰＤＵフレームを受信しないポートは障害が発生したと判断し、通信経路を切り替える。このＳＴＰに関する技術は、例えば特許文献１に開示されている。
【先行技術文献】
【特許文献】
【０００４】
【特許文献１】特開２０１１−２１１４５４号公報
【発明の概要】
【発明が解決しようとする課題】
【０００５】
しかし、上記ＳＴＰなどの制御フレームによる通信経路の監視においては、制御フレームの定期的な交換動作などに何らかの不具合が発生すると、各ポートにおいて障害が発生したと判断されて誤作動が生じる恐れがある。
【０００６】
本発明は、斯かる点に鑑みてなされたものであり、その目的とするところは、制御フレームを用いずにブロードキャストストームなどの不具合が発生しない信頼性の高い冗長化ネットワークを構成することにある。
【課題を解決するための手段】
【０００７】
上記の目的を達成するために、この発明では、送信フレームに各通信ノード装置に固有の識別番号を持たせた上で、各通信ノード装置が受信したフレームが予め指定した識別番号を保有している場合には、そのフレームを転送禁止とすることとした。
【０００８】
具体的には、第１の発明は、フレームの送受信を行う複数の通信ノード装置によって構成されたリング型ネットワークシステムの制御方法であって、前記複数の通信ノード装置は各々を一意に識別するための識別番号が付与されており、前記通信ノード装置各々はフレーム判別部を備えており、前記フレーム判別部は、前記通信ノード装置が送信するフレームに識別番号を付与する識別番号付与部と、前記通信ノード装置が受信したフレームに付与された識別番号を判定する識別番号判定部とを備え、前記識別番号判定部によって、前記受信したフレームに付与された識別番号が予め設定された識別番号と一致すると判定した場合に、該受信フレームの転送を禁止することを特徴とする。
【０００９】
上記方法によって、制御フレームを用いずにブロードキャストストームなどの不具合が発生しない信頼性の高いリング型ネットワークを構成することができる。
【００１０】
第２の発明は、第１の発明において、前記識別番号はＶＬＡＮ−ＩＤであることを特徴とする。
【００１１】
第３の発明は、第１又は２の発明において、前記フレーム判別部は前記識別番号のリストを基にフィルタリングを行っていることを特徴とする。
【００１２】
第４の発明は、第１〜第３の発明のいずれか１つにおいて、前記通信ノード装置は互いを接続するための通信ポートを備えており、各通信ポートにはＶＬＡＮ−ＩＤが重ね置きで設定されていることを特徴とする。
【００１３】
これらの発明の方法によって、既存の技術を用いて第１の発明を具体的に実現することができる。
【００１４】
第５の発明は、フレームの送受信を行う複数の通信ノード装置によって構成されたリング型ネットワークシステムであって、前記複数の通信ノード装置は各々を一意に識別するための識別番号が付与されており、前記通信ノード装置各々はフレーム判別部を備えており、前記フレーム判別部は、前記通信ノード装置が送信するフレームに識別番号を付与する識別番号付与部と、前記通信ノード装置が受信したフレームに付与された識別番号を判定する識別番号判定部とを備え、前記識別番号判定部によって、前記受信したフレームに付与された識別番号が予め設定された少なくとも１つ以上の識別番号と一致すると判定した場合に、該受信フレームの転送を禁止することを特徴とする。
【００１５】
上記構成とすることで、制御フレームを用いずに通信ノード装置間の必要以上なフレームの送受信をなくすことができ、信頼性の高いリング型ネットワークを構成することができる。
【００１６】
第６の発明は、第５の発明において、少なくとも２つ以上のループを備えることを特徴とする。
【００１７】
上記構成とすることで、２つ以上のループを持つ複雑なリング型ネットワークにおいても、信頼性の高いネットワークシステムを構築することができる。
【００１８】
第７の発明は、リング型ネットワークシステムを構成するためのフレームの送受信を行う通信ノード装置であって、識別番号が付与されており、フレーム判別部を備えており、前記フレーム判別部は、前記通信ノード装置が送信するフレームに識別番号を付与する識別番号付与部と、前記通信ノード装置が受信したフレームに付与された識別番号を判定する識別番号判定部とを備え、前記識別番号判定部によって、前記受信したフレームに付与された識別番号が予め設定された少なくとも１つ以上の識別番号と一致すると判定した場合に、該受信フレームの転送を禁止することを特徴とする。
【００１９】
上記構成とすることで、制御フレームを用いずに通信ノード装置間の必要以上なフレームの送受信をなくすことができ、信頼性の高いリング型ネットワークを構成することができる。
【発明の効果】
【００２０】
本発明によれば、制御フレームを用いずにブロードキャストストームなどの不具合の発生しないリング型ネットワークを構成することができ、ネットワークの信頼性向上を実現することができる。
【図面の簡単な説明】
【００２１】
【図１】本発明の実施形態１に係るネットワークシステムの構成図である。
【図２】本発明の実施形態１に係る通信ノード装置の構成を示す機能ブロック図である。
【図３】本発明の実施形態１に係るフレームのフォーマットを例示する図である。
【図４】図１におけるネットワークシステムの模式図である。
【図５】本発明の実施形態１に係るポートに対するＶＬＡＮ−ＩＤの設定を示した表である。
【図６】実施形態２を示す図４相当図である。
【発明を実施するための形態】
【００２２】
以下、本発明に係る実施形態を図面に基づいて詳細に説明する。なお、以下の実施形態は、本質的に好ましい例示であって、本発明、その適用物、或いはその用途の範囲を制限することを意図するものではない。
【００２３】
（実施形態１）
図１に示すように、本発明の実施形態１に係るネットワークシステムＳ１は、複数（図１に示す例では３つ）の通信ノード装置１，１，…を接続して構成されたリング型ネットワークであり、各通信ノード装置１は、例えばスイッチングハブとも呼ばれるレイヤ２スイッチである。ネットワークシステムＳ１には、通信ノード装置１の機能によりＶＬＡＮが実装されている。これにより、ネットワークシステムＳ１に更に仮想ネットワークを構築することができる。
【００２４】
各通信ノード装置１は、ハードウェア構成としては複数の入出力用ポート、物理層インタフェース、スイッチ、ＣＰＵ、メモリ、その他の入出力インタフェース等から構成される。以下に説明する各機能部は、メモリ等に記憶された制御プログラムがＣＰＵにより実行されることにより実現されるように構成してもよいし、少なくとも１つの専用チップが以下に説明する各機能部を実現するように構成してもよい。なお、本発明は、通信ノード装置１のハードウェア構成を限定するものではない。
【００２５】
各通信ノード装置１は、複数、例えば４〜８つ（図２に示す例では４つ）の入出力用ポート５１，５１，…を有している。通信ノード装置１におけるこれら複数のポート５１，５１，…の内２つのポート５１，５１は、リング型ネットワークの通信経路に属している。ここで図１（及び図４）において、通信ノード装置１のポート５１，５１，…の内、リング型ネットワークを構成しているものを白丸で、ＰＣなどの端末機器２との接続に用いられているものを白四角で表示している。
【００２６】
ネットワークシステムＳ１内で通信ノード装置１，１は、同システムＳ１に属するポート５１，５１同士を伝送路としての通信ケーブル３で繋ぐことにより接続されている。ここで、通信ケーブル３としては、例えばＵＴＰケーブル、又は光ファイバケーブルなどの各種ケーブルを用いることができる。
【００２７】
通信ノード装置１は、図２に示すように、ポート５１の他に、識別番号管理テーブル１１、送受信フレームの中継を行うスイッチング処理部４１、送受信フレームの判別を行うフレーム判別部１２を備えている。
【００２８】
通信ノード装置１には、各々を一意に（個別に）識別するために識別番号が付与されており、識別番号管理テーブル１１内に備える識別番号のリスト（識別番号リスト）に記憶されている。識別番号管理テーブル１１は更に、各ポート５１に対応するＶＬＡＮ−ＩＤの情報も該識別番号リストに記憶することができる。
【００２９】
フレーム判別部１２は、通信ノード装置１が受信したフレームを処理するフレーム受信部２１と、通信ノード装置１が送信するフレームを処理するフレーム送信部３１とを備えている。フレーム受信部２１は、通信ノード装置１が受信したフレーム内に付与されているＶＬＡＮ−ＩＤを判定する識別番号判定部２２を備える。一方、フレーム送信部３１は、通信ノード装置１が送信するフレームにＶＬＡＮ−ＩＤを付与する識別番号付与部３２を備える。
【００３０】
スイッチング処理部４１は、ポート５１を介してフレームを受信すると、受信したフレームを解析し、当該フレームに含まれる送信元ＭＡＣ（Media Access Control）アドレスの情報と送信先ＭＡＣアドレスの情報とを識別した上で、当該フレームをフレーム判別部１２に送信する。また、フレーム判別部１２からフレームを受信すると、受信したフレームを解析し、中継先のポート５１へ送信する。
【００３１】
図３は、本実施形態１に係るフレームフォーマットの一例であり、これはＩＥＥＥ８０２．１Ｑで規定されているＶＬＡＮ機能におけるフレームフォーマットである。ここで括弧内に表された数字はバイト数を表す。つまり、４バイトのＶＬＡＮ−ＴＡＧフィールドが、６バイトの送信元アドレスフィールド（ＳＡ）と２バイトのタイプフィールド（ＴＹＰＥ）との間に規定されており、これはタグプロトコル識別子（ＴＰＩＤ：Tag Protocol Identifier）とタグ制御情報（ＴＣＩ：Tag Control Information）とを含む。ＴＣＩ中に１２ビットのＶＬＡＮ−ＩＤが設定される。ＶＬＡＮ−ＩＤは、仮想的に分割されたネットワークを識別する情報であり、１から４０９４までの数値が利用可能と規定されている。
【００３２】
以下において、本実施形態１におけるネットワーク制御の動きを説明する。図４に示すように、３つの通信ノード装置１をそれぞれＳＷ１，ＳＷ２、ＳＷ３とし、また、通信ノード装置ＳＷ１，ＳＷ２、ＳＷ３にそれぞれ接続されている端末機器２をＰＣ１，ＰＣ２，ＰＣ３とし、ＳＷ２の備える複数のポート５１，５１，…の内、端末機器２（ＰＣ２）との接続ポート５１をＡ、ＳＷ１との接続ポート５１をＢ、ＳＷ３との接続ポート５１をＣとする。
【００３３】
通信ノード装置ＳＷ１，ＳＷ２、ＳＷ３には、各々に識別番号として値１０，値２０，値３０が設定されている。すなわち、通信ノード装置１内のそれぞれの識別番号管理テーブル１１内の識別番号リストに各識別番号の情報が記憶されている。
【００３４】
また、通信ノード装置１のポート５１に対してＶＬＡＮ−ＩＤが重ね置きで設定されており、識別番号管理テーブル１１内の識別番号リストに記憶されている。
【００３５】
具体的には、例えば図５に示すように、通信ノード装置ＳＷ２のポートＡ，Ｂ，ＣにおけるＶＬＡＮ−ＩＤを設定する。ここで、ポートＡに対しては、ＶＬＡＮ−ＩＤとして値１０及び値２０が設定されており、ＶＬＡＮ−ＩＤとして値１０及び値２０を保有するフレームのみが端末機器ＰＣ２へ送信される例となっている。そして、ポートＡで受信したタグ無しフレーム（後述）の送信先ＶＬＡＮ−ＩＤを示すＰＶＩＤとして、通信ノード装置ＳＷ２の識別番号と同じ値２０が設定されている。ここで、ＰＶＩＤはポートＶＬＡＮ−ＩＤを意味する。ポートＢおよびポートＣに対しては、ＶＬＡＮ−ＩＤとして値１０，値２０，値３０が、ＰＶＩＤとして任意値が設定されている。
【００３６】
以下、通信ノード装置ＳＷ２におけるフレームの送受信について説明する。まず、通信ノード装置ＳＷ２が接続された端末機器２（ＰＣ２）からフレームを受信した場合について説明する。通信ノード装置ＳＷ２が端末機器ＰＣ２から送信されたフレームをポートＡで受信した場合、該フレームはスイッチング処理部４１を中継してフレーム判別部１２へ送られる。そして、フレーム受信部２１内の識別番号判定部２２によって、ＶＬＡＮ−ＴＡＧフィールド内に保有されているＶＬＡＮ−ＩＤが検証される。この際、該フレームは端末機器ＰＣ２より送信されてきたものであるため、フレーム内にＶＬＡＮ−ＴＡＧフィールドのデータ領域は含まれず（タグ無しフレーム）、転送対象フレームと判断される。
【００３７】
そして、該フレームに対して、フレーム送信部３１内の識別番号付与部３２においてＶＬＡＮ−ＴＡＧフィールドのデータが付与される。このとき、該フレームにはポートＡのＰＶＩＤである値２０がＶＬＡＮ−ＴＡＧフィールドのデータに設定される。
【００３８】
そして、該フレームはスイッチング処理部４１を中継して送信ポートへ送られることとなり、ポートＢから通信ノード装置ＳＷ１へ送信されると共に、ポートＣから通信ノード装置ＳＷ３へ送信される。
【００３９】
次に、通信ノード装置ＳＷ２がリンク型ネットワーク内からのフレームを受信した場合について説明する。通信ノード装置ＳＷ２が通信ノード装置ＳＷ１から送信されたフレームをポートＢで受信した場合、該フレームはスイッチング処理部４１を中継してフレーム判別部１２へ送られる。そして、フレーム受信部２１内の識別番号判定部２２によって該フレームが保有するＶＬＡＮ−ＩＤが検証される。具体的には、識別番号判定部２２が識別番号管理テーブル１１内の識別番号リストを参照し、識別番号リストに記載されている識別番号と、受信フレームが保有するＶＬＡＮ−ＩＤとの照合を行う。
【００４０】
そして、両者が一致する場合、すなわち受信フレームのＶＬＡＮ−ＩＤが値２０の場合、当該フレームは通信ノード装置ＳＷ２が送信元のフレームであるため、これ以上の転送は不要であると判断し、転送を禁止して該フレームを破棄（フィルタリング）する。
【００４１】
受信フレームのＶＬＡＮ−ＩＤが値１０の場合は、ポートＡ及びポートＣへの転送対象であると判断され、ポートＡから端末機器ＰＣ２へと送信されるとともに、ポートＣから通信ノード装置ＳＷ３へ送信される。この場合はリング型ネットワーク内で受信したフレームの転送であるため、自身の識別番号の付与は行わない。そして、ポートＡからＰＣ２へ送信するフレームについては、該フレームのＶＬＡＮ−ＴＡＧフィールドのデータ領域を削除して送信し、ポートＣから通信ノード装置ＳＷ３へと送信する場合は、ＶＬＡＮ−ＩＤの変更を行わずにそのまま送信する。
【００４２】
受信フレームのＶＬＡＮ−ＩＤが値３０の場合は、該フレームはポートＡへの送信対象外と判断され、ポートＣから通信ノード装置ＳＷ３への送信のみが行われる。つまり、受信フレームがポートＡに対して設定されたものと異なるＶＬＡＮ−ＩＤを保有している場合には、該フレームはポートＡには送信されない。
【００４３】
以上より、通信ノード装置１（ＳＷ１，ＳＷ２，ＳＷ３）において、自身がリング型ネットワーク内における発信元となるフレームの送信時には自身の識別番号と同じＶＬＡＮ−ＩＤをフレームに設定する。更に、リング型ネットワークから受信したフレームについてはＶＬＡＮ−ＩＤを確認して自身の識別番号と同じＶＬＡＮ−ＩＤを保有するフレームの転送を禁止する。これにより、フレームが必要以上に転送されてリング型ネットワーク内でブロードキャストストームが発生するのを防ぐことができ、ネットワークの信頼性向上を図ることができる。
【００４４】
（実施形態２）
図６には実施形態２として複数のループを持つネットワークシステムＳ２が開示されている。なお、以下の実施形態２では、実施形態１と同じ部分については同じ符号を付してその詳細な説明を省略する。
【００４５】
ネットワークシステムＳ２は２つのリング型ネットワークＲ１，Ｒ２から構成されている。図６に示す通り、リング型ネットワークＲ１は複数の通信ノード装置１（ＳＷ１〜ＳＷ６）によって構成されており、リング型ネットワークＲ２は複数の通信ノード装置１（ＳＷ３，ＳＷ４，ＳＷ７〜ＳＷ１０）によって構成されている。２つのリング型ネットワークＲ１，Ｒ２は通信ノード装置ＳＷ３，ＳＷ４を接続点として接続される構成となっている。ここで、通信ノード装置ＳＷ１，ＳＷ２，…，ＳＷ１０にはそれぞれ識別番号として値１０，２０，…，１００が設定されているものとする。
【００４６】
この場合、各通信ノード装置が受信したフレームに対するフィルタ（転送を禁止するＶＬＡＮ−ＩＤ）は以下の通りとする。すなわち、２つのリング型ネットワークＲ１，Ｒ２の接続点となっている通信ノード装置ＳＷ３，ＳＷ４以外については、自身の識別番号と同じ値のＶＬＡＮ−ＩＤを保有するフレームを転送禁止とする。それに対して、２つのリング型ネットワークＲ１，Ｒ２の接続点となっている通信ノード装置ＳＷ３，ＳＷ４についてはポート５１毎にフィルタが設定されることとなる。
【００４７】
具体的に通信ノード装置ＳＷ３について説明すると、２つのリング型ネットワークＲ１，Ｒ２によって共有されている通信ノード装置ＳＷ４との経路を結ぶポートＤについては、自身の識別番号と同じＶＬＡＮ−ＩＤ３０をフィルタとして設定する。それに対して、通信ノード装置ＳＷ２との経路を結びリング型ネットワークＲ１を構成するポートＥについては、自身の識別番号３０と、ポートＥが属していないリング型ネットワークＲ２のみに属する通信ノード装置ＳＷ７，ＳＷ８，…，ＳＷ１０に対応する値７０，８０，…，１００をフィルタとして設定する。更に、通信ノード装置ＳＷ７との経路を結びリング型ネットワークＲ２を構成するポートＦについては、自身の識別番号３０と、ネットワークＲ１に属する通信ノード装置ＳＷ１，ＳＷ２，…，ＳＷ６に対応する値１０，２０，…，６０をフィルタとして設定する。
【００４８】
この設定を行うことで、例えばポートＥにおいては、受信したフレームのＶＬＡＮ−ＩＤが３０の場合に加えて、受信ポートに属さないネットワーク上の通信ノード装置であるＳＷ７，ＳＷ８，…，ＳＷ１０に対応するＶＬＡＮ−ＩＤ７０，８０，…，１００を保有するフレームも転送が禁止されることとなる。なお、通信ノード装置ＳＷ４についても、ポートＤ′，Ｅ′，Ｆ′に対して通信ノード装置ＳＷ３と同様のフィルタ設定を行う。
【００４９】
上記設定とすることで、制御フレームを用いずに、複数のリング型ネットワークを制御することができる。すなわち、各通信ノード装置において、自身が発信元であるフレームが必要以上に転送されてブロードキャストストームが発生することを防ぐことができる。また、複数のネットワークのループが接続される接続点においては、他のネットワークループからのフレームが必要以上に転送されてブロードキャストストームが発生することを防ぐことができる。
【００５０】
（その他の実施形態）
上記実施形態１において、仮想ネットワークは１つのみ設定されているが、２つ以上としてもよく、また１つの通信ノード装置内の複数のポートに対して複数の仮想ネットワークを構築してもよい。さらに、実施形態２においてリング型ネットワークは２つとしているが、３つ以上としてもよい。これらの場合においても、本発明は同様の効果を得ることができる。
【産業上の利用可能性】
【００５１】
以上説明したように、本発明は、リング型ネットワークを構成する通信ノード装置及びリング型ネットワークにより構成されたネットワークシステムについて有用である。
【符号の説明】
【００５２】
Ｓ１，Ｓ２      ネットワークシステム
Ｒ１，Ｒ２      リング型ネットワーク
１      通信ノード装置
２      端末機器
３      通信ケーブル
１１    識別番号管理テーブル
１２    フレーム判別部
２１    フレーム送受信部
２２    識別番号判定部
３１    スイッチング処理部
３２    識別番号付与部
４１    スイッチング処理部
５１    ポート
【図１】
2016105655.tif 000003
【図２】
2016105655.tif 000004
【図３】
2016105655.tif 000005
【図４】
2016105655.tif 000006
【図５】
2016105655.tif 000007
【図６】
2016105655.tif 000008